(57)【要約】【課題】可動部が配置される隙間を通してケース内へ水が侵入することを防止できる血圧測定装置を提供すること。【解決手段】血圧測定装置１は、外郭ケース３１、外郭ケース３１内に収容された基部３３、及び外郭ケース３１の開口を覆う裏蓋３５を備えたケース１１と、外郭ケース３１及び基部３３と裏蓋３５との間の隙間Ｓ内に配置された、内部空間に流体が供給されることで膨張する袋状のカフ構造体６及びカーラ５と、隙間Ｓ内に設けられて隙間Ｓを密封する、カフ構造体６よりも弾性率が低いゲル体から形成されたシール部材３７と、を備える。【選択図】      図１０
2019122533.tif 000002
【特許請求の範囲】
【請求項１】
外郭ケース、前記外郭ケース内に収容された基部、及び前記外郭ケースの開口を覆う裏蓋を具備したケースと、
前記外郭ケース及び前記基部と、前記裏蓋との間の隙間内に配置された、内部空間に流体が供給されることで膨張する袋状のカフを含む可動部と、
前記隙間内に設けられて前記隙間を密封する、前記カフよりも弾性率が低いゲル体から形成されたシール部材と、
を具備した血圧測定装置。
【請求項２】
前記シール部材は、複数のシート部材から構成される
請求項１に記載の血圧測定装置。
【請求項３】
前記シール部材を前記隙間内に固定する固定部材を具備する
請求項１または請求項２に記載の血圧測定装置。
【発明の詳細な説明】
【技術分野】
【０００１】
本発明は、血圧を測定する血圧測定装置に関する。
【背景技術】
【０００２】
近年、血圧の測定に用いる血圧測定装置は、医療設備においてのみならず、家庭内においても、健康状態を確認する手段として利用されている。血圧測定装置は、例えば、カフを生体の上腕又は手首等に巻き付け、カフを膨張及び収縮させ、圧力センサによりカフの圧力を検出することで、動脈壁の振動を検出して血圧を測定する。
【０００３】
血圧測定装置のケース内に収容されたポンプとカフとを流体的に接続する技術として、ケースの裏面に形成されたノズルを用いる技術が知られている。このノズルは、ケース内で、ポンプに流体的に接続されている。カフは、ノズルに接続されることにより、ポンプに流体的に接続される（例えば、特許文献１参照。）。
【０００４】
また、血圧測定装置は、小型化が求められている。しかしながら、ポンプとカフとを、上述したケースの裏面に形成されたノズルを用いて流体的に接続すると、本体及びカフが厚み方向に並ぶので、小型化が制限される。
【０００５】
そこで、カフの一部を、ケース内、及びケースに形成された隙間内に収容してケース内でポンプに流体的に接続する構成を採用することにより、小型化を可能とする血圧測定装置が考えられる。
【先行技術文献】
【特許文献】
【０００６】
【特許文献１】特開２０１３−２２０１８７号公報
【発明の概要】
【発明が解決しようとする課題】
【０００７】
上述した、ケースに形成した隙間内にカフの一部を配置する構成を有する血圧測定装置のように、隙間内にケースに対する可動部が配置される血圧測定装置では、隙間を通してケース内に水が侵入することを防止する技術が求められている。
【０００８】
そこで本発明は、可動部が配置される隙間を密封できる血圧測定装置を提供することを目的とする。
【課題を解決するための手段】
【０００９】
一態様によれば、外郭ケース、前記外郭ケース内に収容された基部、及び前記外郭ケースの開口を覆う裏蓋を具備したケースと、前記外郭ケース及び前記基部と、前記裏蓋との間の隙間内に配置された、内部空間に流体が供給されることで膨張する袋状のカフ含む可動部と、前記隙間内に設けられて前記隙間を密封する、前記カフよりも弾性率が低いゲル体から形成されたシール部材と、を備える血圧測定装置が提供される。
【００１０】
ここで、流体とは、液体及び空気を含む。カフとは、血圧を測定するときに生体の上腕や手首等に巻き付けられ、流体が供給されることで膨張するものであり、例えば、手首で血圧を測定する血圧測定装置に設けられる押圧カフ、センシングカフや上腕で血圧を測定する血圧測定装置に設けられるカフを含む。また、ここでのカフとは、押圧カフを構成する空気袋等の袋状構造体であってもよい。また、ここで可動部とは、ケースに対して変位する部分であり、カフを含む。カフは、ユーザが血圧測定装置を装着するときに変位する。また、血圧測定装置がカーラを有し、さらに、カーラが隙間内に配置される構成の場合は、カーラは可動部となる。また、ここで、ゲル体は、外力が印加されると変形し、外力が印加されないときは形状を保持できる弾性率を有するゲルである。
【００１１】
この態様によれば、カフが生体に巻き付けられ、膨張したときに、シール部材がカフに追従して変形することによって、隙間の密封が保たれる。さらに、カフを生体に巻き付けるときにカフが隙間内で移動しても、この移動に追従してシール部材が変形することによって、隙間の密封が保たれる。さらに、可動体がカーラを含む場合では、カーラが生体に巻き付けられるときにカーラが隙間内で移動しても、カーラの移動に追従してシール部材が変形することによって、隙間の密封が保たれる。
【００１２】
上記一態様の血圧測定装置において、前記シール部材は、複数のシート部材から構成される血圧測定装置が提供される。
【００１３】
この態様によれば、隙間内にシール部材を複数のシート部材から構成することで、隙間内にシール部材を簡単に設置することができる。
【００１４】
上記一態様の血圧測定装置において、前記シール部材を前記隙間内に固定する固定部材を備える血圧測定装置が提供される。
【００１５】
ここで、固定部材は、例えば、両面テープ、または、接着剤とすることができる。
【００１６】
この態様によれば、シール部材が隙間から脱落することを防止できる。
【発明の効果】
【００１７】
本発明は、可動部が配置される隙間を密封できる血圧測定装置を提供できる。
【図面の簡単な説明】
【００１８】
【図１】本発明の一実施形態に係る血圧測定装置の構成を示す斜視図。
【図２】同血圧測定装置の構成を示す斜視図。
【図３】同血圧測定装置の構成を示す分解図。
【図４】同血圧測定装置の構成を示すブロック図。
【図５】同血圧測定装置の装置本体の構成を示す斜視図。
【図６】同装置本体の内部の構成を示す平面図。
【図７】同装置本体の内部の構成を示す平面図。
【図８】同血圧測定装置の基部を示す斜視図。
【図９】同血圧測定装置のケースの要部の構成を分解して示す断面図。
【図１０】同血圧測定装置のケースの要部を示す断面図。
【図１１】同血圧測定装置のカフ構造体の構成を示す平面図。
【図１２】同血圧測定装置のカーラ及びカフ構造体の構成を示す断面図。
【図１３】同カーラ及びカフ構造体の構成を示す断面図。
【図１４】同カフ構造体の押圧カフの膨張時の構成を模式的に示す側面図。
【図１５】同カフ構造体の押圧カフの膨張時の構成を模式的に示す断面図。
【図１６】同血圧測定装置の使用の一例を示す流れ図。
【図１７】同血圧測定装置を手首に装着する一例を示す斜視図。
【図１８】同血圧測定装置を手首に装着する一例を示す斜視図。
【図１９】同血圧測定装置を手首に装着する一例を示す斜視図。
【図２０】同血圧測定装置の他の構成を示す斜視図。
【図２１】同血圧測定装置の変形例の要部を示す断面図。
【図２２】同血圧測定装置の変形例の要部を示す断面図。
【発明を実施するための形態】
【００１９】
以下、本発明の一実施形態に係る血圧測定装置１の一例について、図１乃至図１９を用いて以下説明する。
【００２０】
図１は、本発明の一実施形態に係る血圧測定装置１の構成を、ベルト４を閉じた状態で示す斜視図である。図２は、血圧測定装置１の構成を、ベルト４を開いた状態で示す斜視図である。図３は、血圧測定装置１の構成を示す分解図である。図４は、血圧測定装置１の構成を示すブロック図である。図５は、血圧測定装置１の装置本体３の構成を裏蓋３５側から示す斜視図である。
【００２１】
図６及び図７は、装置本体３の内部の構成をそれぞれ風防３２側及び裏蓋３５側から示す平面図である。図８は、血圧測定装置１の基部３３を示す斜視図である。図９は、血圧測定装置１の基部３３の凹部３３ａ及びその近傍を分解して模式的に示す断面図である。図１０は、図９Ｘ−Ｘ線断面で模式的に示す断面図である。図１１は、血圧測定装置１のカフ構造体６の構成をセンシングカフ７３側から示す平面図である。
【００２２】
図１２は、血圧測定装置１のカーラ５及びカフ構造体６の構成を図１１中ＸＩＩ−ＸＩＩ線断面で模式的に示す断面図である。図１３は、カーラ５及びカフ構造体６の構成を図１１中ＸＩＩＩ−ＸＩＩＩ線断面で示す断面図である。図１４及び図１５は、カフ構造体６の押圧カフ７１及びセンシングカフ７３が膨張したときの一例を側面及び断面で模式的に示す図である。なお、図１２において、カーラ５及びカフ構造体６は、説明の便宜上、直線形状で模式的に示すが、血圧測定装置１に設けられた構成においては、湾曲する形状である。
【００２３】
血圧測定装置１は、生体に装着する電子血圧測定装置である。本実施形態においては、生体の手首１００に装着するウェアラブルデバイスの態様をもつ電子血圧測定装置を用いて説明する。図１乃至図１５に示すように、血圧測定装置１は、装置本体３と、ベルト４と、カーラ５と、押圧カフ７１及びセンシングカフ７３を有するカフ構造体６と、流体回路７と、を備えている。ここで、押圧カフ７１は、本発明の「カフ」の一例である。
【００２４】
図１乃至図１０に示すように、装置本体３は、ケース１１と、表示部１２と、操作部１３と、ポンプ１４と、流路部１５と、開閉弁１６と、圧力センサ１７と、電力供給部１８と、振動モータ１９と、制御基板２０と、を備えている。装置本体３は、ポンプ１４、開閉弁１６、圧力センサ１７及び制御基板２０等によって、押圧カフ７１に流体を供給する供給装置である。
【００２５】
ケース１１は、外郭ケース３１と、外郭ケース３１の上部開口を覆う風防３２と、外郭ケース３１の内部の下方に設けられた基部３３と、基部３３の裏面の一部を覆う流路カバー３４と、外郭ケース３１の下方を覆う裏蓋３５と、を備えている。また、ケース１１は、流体回路７の一部を構成する流路チューブ３６を備えている。
【００２６】
また、ケース１１は、カーラ５の一部、及びカフ構造体６の一部を配置可能な隙間Ｓを密封するシール部材３７と、シール部材３７が外郭ケース３１から抜けることを防止する固定部材３８と、を備えている。隙間Ｓは、例えば、外郭ケース３１、裏蓋３５、及びカーラ５によって形成される。
【００２７】
外郭ケース３１は、円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備えている。風防３２は、円形状のガラス板である。
【００２８】
基部３３は、表示部１２、操作部１３、ポンプ１４、開閉弁１６、圧力センサ１７、電力供給部１８、振動モータ１９及び制御基板２０を保持する。また、基部３３は、流路部１５の一部を構成する。
【００２９】
また、図８に示すように、基部３３の裏蓋３５側の外面である裏面３５ａの周縁の、一方の一対のラグ３１ａに対向する部分には、カーラ５の一方の端部５ａを配置可能な凹部３３ａが形成されている。凹部３３ａの底面３３ｂには、カーラ５の端部５ａに形成された孔５ｂ内に配置可能な突部３３ｃが、例えば複数、具体例として３つ形成されている。
【００３０】
流路カバー３４は、基部３３の裏面３５ａに固定される。基部３３及び流路カバー３４は、一方又は双方に溝が設けられることで、流路部１５の一部を構成する。
【００３１】
裏蓋３５は、外郭ケース３１の生体側の端部を覆う。裏蓋３５は、例えば４つのビス３５ｂ等によって外郭ケース３１又は基部３３の生体側の端部に固定される。図５に示すように、裏蓋３５の一方の一対のラグ３１ａに対向する部分には、隙間Ｓの一部を形成する凹部３５ｃが形成されている。
【００３２】
流路チューブ３６は、流路部１５の一部を構成する。流路チューブ３６は、例えば、開閉弁１６及び基部３３の流路部１５を構成する一部を接続する。
【００３３】
シール部材３７は、図９及び図１０に示すように、隙間Ｓに配置される押圧カフ７１のチューブ８２、及びセンシングカフ７３のチューブ９２よりも弾性率が低い材料であって、且つ、形状を保持可能なゲル体から形成されている。
【００３４】
シール部材３７は、ゲル体から形成された部材である。シール部材３７は、具体例として、シリコーンゲルから形成された、一方向に長い矩形の第１シール用シート部材３７ａ、第２シール用シート部材３７ｂ、及び第３シール用シート部材３７ｃである。
【００３５】
第１シール用シート部材３７ａは、カーラ５と、押圧カフ７１のチューブ８２の一部及びセンシングカフ７３のチューブ９２の一部と、の間に配置される。第２シール用シート部材３７ｂは、第３シール用シート部材３７ｃ上に重ねられる。第２シール用シート部材３７ｂ及び第３シール用シート部材３７ｃの一体物は、裏蓋３５と、押圧カフ７１のチューブ８２一部及びセンシングカフ７３のチューブ９２一部と、の間に配置される。
【００３６】
第１シール用シート部材３７ａ、第２シール用シート部材３７ｂ及び第３シール用シート部材３７ｃは、基部３３の凹部３３ａ、押圧カフ７１のチューブ８２の一部、センシングカフ７３のチューブ９２の一部、及び裏蓋３５によって形成される断面に応じて変形することにより、隙間Ｓを密封する。
【００３７】
また、第１シール用シート部材３７ａ及び第２シール用シート部材３７ｂの弾性率は、押圧カフ７１のチューブ８２の一部、及びセンシングカフ７３のチューブ９２の一部の弾性率より低い。
【００３８】
固定部材３８は、例えば複数の両面テープであり、具体例として、第１両面テープ３８ａ、第２両面テープ３８ｂ、第３両面テープ３８ｃ、第４両面テープ３８ｄ、第５両面テープ３８ｅ、及び第６両面テープ３８ｆを有している。
【００３９】
第１両面テープ３８ａは、第１シール用シート部材３７ａとカーラ５との間に配置される。第１両面テープ３８ａは、第１シール用シート部材３７ａをカーラ５に固定する。第１両面テープ３８ａは、例えば、カーラ５の幅方向の一端から他端まで延びている。また、第１両面テープ３８ａは、第１シール用シート部材３７ａの幅方向一端から他端まで延びている。
【００４０】
第２両面テープ３８ｂは、第３シール用シート部材３７ｃと裏蓋３５との間に配置される。第２両面テープ３８ｂは、第３シール用シート部材３７ｃを裏蓋３５に固定する。第２両面テープ３８ｂは、例えば、第３シール用シート部材３７ｃの幅方向一端から他端まで延びている。
【００４１】
第３両面テープ３８ｃは、押圧カフ７１のチューブ８２の一部と、第１シール用シート部材３７ａと、の間に配置される。第３両面テープ３８ｃは、第１シール用シート部材３７ａを押圧カフ７１のチューブ８２の一部に固定する。第３両面テープ３８ｃは、チューブ８２の一部を構成する第１チューブ用シート部材８７ａの例えば幅方向一端から他端まで延びている。
【００４２】
第４両面テープ３８ｄは、第１シール用シート部材３７ａと、センシングカフ７３のチューブ９２の一部と、の間に配置される。第４両面テープ３８ｄは、第１シール用シート部材３７ａをセンシングカフ７３のチューブ９２の一部に固定する。第４両面テープ３８ｄは、チューブ９２の一部を構成する第３チューブ用シート部材９７ａの例えば幅方向一端から他端まで延びている。
【００４３】
第５両面テープ３８ｅは、第２シール用シート部材３７ｂと、押圧カフ７１のチューブ８２の一部と、の間に配置される。第５両面テープ３８ｅは、第２シール用シート部材３７ｂをチューブ８２の一部に固定する。第５両面テープ３８ｅは、チューブ８２の一部を構成する第２チューブ用シート部材８７ｂの幅方向一端から他端まで延びている。
【００４４】
第６両面テープ３８ｆは、第２シール用シート部材３７ｂと、チューブ９２の一部と、の間に配置される。第６両面テープ３８ｆは、第２シール用シート部材３７ｂをチューブ９２の一部に固定する。第６両面テープ３８ｆは、チューブ９２の一部を構成する第４チューブ用シート部材９７ｂの幅方向一端から他端まで延びている。
【００４５】
表示部１２は、外郭ケース３１の基部３３上であって、且つ、風防３２の直下に配置される。表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００４６】
操作部１３は、使用者からの指令を入力可能に構成される。例えば、操作部１３は、ケース１１に設けられた複数の釦４１と、釦４１の操作を検出するセンサ４２と、表示部１２又は風防３２に設けられたタッチパネル４３と、を備える。操作部１３は、使用者が操作することで、指令を電気信号に変換する。センサ４２及びタッチパネル４３は、電気的に制御基板２０に接続され、電気信号を制御基板２０へ出力する。
【００４７】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネル４３は、例えば、風防３２に一体に設けられる。
【００４８】
ポンプ１４は、例えば圧電ポンプである。ポンプ１４は、空気を圧縮し、流路部１５を介して圧縮空気をカフ構造体６に供給する。ポンプ１４は、電気的に制御部５５に接続される。
【００４９】
流路部１５は、基部３３の裏蓋３５側の主面及び基部３３の裏蓋３５側を覆う流路カバー３４に設けられた溝等より構成された空気の流路である。流路部１５は、ポンプ１４から押圧カフ７１へつながる流路、及び、ポンプ１４からセンシングカフ７３へつながる流路を構成する。また、流路部１５は、押圧カフ７１から大気へつながる流路、及び、センシングカフ７３から大気へつながる流路を構成する。流路カバー３４は、押圧カフ７１及びセンシングカフ７３がそれぞれ接続される被接続部３４ａを有する。被接続部３４ａは、例えば、流路カバー３４に設けられた、円筒状のノズルである。
【００５０】
開閉弁１６は、流路部１５の一部を開閉する。開閉弁１６は、例えば、複数設けられ、各開閉弁１６の開閉の組み合わせによりポンプ１４から押圧カフ７１へつながる流路、ポンプ１４からセンシングカフ７３へつながる流路、押圧カフ７１から大気へつながる流路、及び、センシングカフ７３から大気へつながる流路を選択的に開閉する。例えば、開閉弁１６は、２つ用いられる。
【００５１】
圧力センサ１７は、押圧カフ７１及びセンシングカフ７３の圧力を検出する。圧力センサ１７は、電気的に制御基板２０に接続される。圧力センサ１７は、電気的に制御基板２０に接続され、検出した圧力を電気信号に変換し、制御基板２０へ出力する。圧力センサ１７は、例えば、ポンプ１４から押圧カフ７１へつながる流路、及び、ポンプ１４からセンシングカフ７３へつながる流路に設けられる。これらの流路は押圧カフ７１及びセンシングカフ７３と連続することから、これら流路内の圧力を押圧カフ７１及びセンシングカフ７３の内部空間の圧力となる。
【００５２】
電力供給部１８は、例えば、リチウムイオンバッテリ等の二次電池である。電力供給部１８は、制御基板２０に電気的に接続される。電力供給部１８は、制御基板２０に電力を供給する。
【００５３】
図４及び図６に示すように、制御基板２０は、例えば、基板５１と、加速度センサ５２と、通信部５３と、記憶部５４と、制御部５５と、を備えている。制御基板２０は、加速度センサ５２、通信部５３、記憶部５４及び制御部５５が基板５１に実装されることで構成される。
【００５４】
基板５１は、ケース１１の基部３３にビス等によって固定される。
【００５５】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００５６】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００５７】
本実施形態において、ネットワークは、例えばインターネットであるが、これに限定されず、病院内に設けられたＬＡＮ（Local Area Network）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００５８】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００５９】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６及び各圧力センサ１７に電気的に接続されるとともに、電力を供給する。また、制御部５５は、操作部１３及び圧力センサ１７が出力する電気信号に基づいて、表示部１２、ポンプ１４及び開閉弁１６の動作を制御する。
【００６０】
例えば、制御部５５は、図４に示すように、血圧測定装置１全体の動作を制御するメインＣＰＵ５６及び流体回路７の動作を制御するサブＣＰＵ５７を有する。例えば、サブＣＰＵ５７は、操作部１３から血圧を測定する指令が入力されると、ポンプ１４及び開閉弁１６を駆動して押圧カフ７１及びセンシングカフ７３に圧縮空気を送る。
【００６１】
また、サブＣＰＵ５７は、圧力センサ１７が出力する電気信号に基づいて、ポンプ１４の駆動及び停止、並びに、開閉弁１６の開閉を制御し、圧縮空気を押圧カフ７１及びセンシングカフ７３に選択的に送るとともに、押圧カフ７１及びセンシングカフ７３を選択的に減圧する。また、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００６２】
図１乃至図３に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。
【００６３】
第１ベルト６１は、所謂親と呼ばれ、帯状に構成される。第１ベルト６１は、一方の端部に設けられ、第１ベルト６１の長手方向に直交する第１孔部６１ａと、他方の端部に設けられ、第１ベルト６１の長手方向に直交する第２孔部６１ｂと、第２孔部６１ｂに設けられた尾錠６１ｃと、を有する。第１孔部６１ａは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ａが配置されることで、外郭ケース３１に回転可能に保持される。
【００６４】
第２孔部６１ｂは、第１ベルト６１の先端に設けられる。
【００６５】
尾錠６１ｃは、矩形枠状の枠状体６１ｄと、枠状体６１ｄに回転可能に取り付けられたつく棒６１ｅを有する。枠状体６１ｄは、つく棒６１ｅが取り付けられた一辺が第２孔部６１ｂに挿入され、第１ベルト６１に関して回転可能に取り付けられる。
【００６６】
第２ベルト６２は、所謂剣先と呼ばれ、枠状体６１ｄに挿入可能な幅を有する帯状に構成される。また、第２ベルト６２は、つく棒６１ｅが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００６７】
このようなベルト４は、第２ベルト６２が枠状体６１ｄに挿入され、小孔６２ａにつく棒６１ｅが挿入されることで、第１ベルト６１及び第２ベルト６２が一体に接続され、外郭ケース３１とともに、手首１００の周方向に倣った環状となる。
【００６８】
カーラ５は、樹脂材料で構成され、手首の周方向に沿って湾曲する帯状に構成される。カーラ５は、一方の端部５ａに形成され、基部３３の凹部３３ａの底面３３ｂに形成された複数の突部３３ｃが嵌まる孔５ｂを有する。端部５ａは、凹部３３ａ内に配置されて複数の突部３３ｃが孔５ｂに嵌まることによって、基部３３に固定される。カーラ５の一部は、ケース１１の隙間Ｓ内に配置される。カーラ５の他端は、装置本体３に近接して構成される。
【００６９】
図１乃至図３、図１４に示すように、カーラ５は、例えば、手首の周方向に対して直交する方向、換言すると手首の長手方向からの側面視で手首１００の周方向に沿って湾曲する形状を有する、樹脂材料で形成される。カーラ５は、例えば、装置本体から手首の手の甲側から一方の側方側を通って手の平側へと渡り、他方の側方側の中央側へと延びる。即ち、カーラ５は、手首の周方向に沿って湾曲することで、手首１００の周方向の大半に渡るとともに、両端が所定の間隔を有して離間する。
【００７０】
カーラ５は、可撓性及び形状保持性を有する硬さを有する。ここで、可撓性とは、カーラ５に外力が印加されたときに径方向に形状が変形することをいい、例えば、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できること、本実施形態においてはカーラ５の形状が手首の周方向に沿って湾曲する形状を維持できることである。カーラ５は、樹脂材料で構成される。カーラ５は、例えば、ポリプロピレンによって厚さが１ｍｍ程度に形成される。カーラ５は、カーラ５の内面形状に沿ってカフ構造体６を保持する。
【００７１】
図１乃至図５、図１１乃至図１３に示すように、カフ構造体６は、押圧カフ７１と、背板７２と、センシングカフ７３と、を備えている。カフ構造体６は、押圧カフ７１、背板７２、及びセンシングカフ７３が積層され、一体に構成される。カフ構造体６は、カーラ５の内面に固定される。
【００７２】
押圧カフ７１は、カフの一例である。押圧カフ７１は、流路部１５を介してポンプ１４に流体的に接続される。押圧カフ７１は、膨張することで背板７２及びセンシングカフ７３を生体側に押圧する。押圧カフ７１は、複数の空気袋８１と、空気袋８１と連通するチューブ８２と、チューブ８２の先端に設けられた接続部８３と、を含む。
【００７３】
ここで、空気袋８１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。
【００７４】
複数の空気袋８１は、積層され、積層方向に流体的に連通する。具体例として、押圧カフ７１は、積層方向に流体的に連通する二層の空気袋８１と、一方の空気袋８１の長手方向の一方の端部に設けられたチューブ８２と、チューブ８２の先端に設けられた接続部８３と、を備える。
【００７５】
押圧カフ７１は、一方の空気袋８１の主面がカーラ５の内面に固定される。例えば、押圧カフ７１は、カーラ５の内面に両面テープや接着剤により貼付される。
【００７６】
二層の空気袋８１は、一方向に長い矩形状に構成される。空気袋８１は、例えば、一方向に長い二枚のシート部材８６を組み合わせ、縁部を熱により溶着することで構成される。具体例として、二層の空気袋８１は、図１１乃至図１３に示すように、生体側から、第１シート部材８６ａと、第１シート部材８６ａと一層目の空気袋８１を構成する第２シート部材８６ｂと、第２シート部材８６ｂと一体に接着される第３シート部材８６ｃと、第３シート部材８６ｃと二層目の空気袋８１を構成する第４シート部材８６ｄと、を備える。
【００７７】
第１シート部材８６ａ及び第２シート部材８６ｂは、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。第４シート部材８６ｄは、カーラ５側の外面に接着剤層や両面テープが設けられ、この接着剤層や両面テープによりカーラ５に貼付される。
【００７８】
第３シート部材８６ｃ及び第４シート部材８６ｄは、四辺の周縁部が溶着されることで空気袋８１を構成する。また、例えば、第３シート部材８６ｃ及び第４シート部材８６ｄの一辺に、空気袋８１の内部空間と流体的に連続するチューブ８２が配置され、溶着により固定される。例えば、第３シート部材８６ｃ及び第４シート部材８６ｄは、第３シート部材８６ｃ及び第４シート部材８６ｄの間にチューブ８２が配置された状態で四辺の周縁部を溶着して空気袋８１を成形することで、チューブ８２が一体に溶着される。
【００７９】
チューブ８２は、二層の空気袋８１の一方に接続されるとともに、空気袋８１の長手方向の一方の端部に設けられる。具体例として、チューブ８２は、二層の空気袋８１のカーラ５側であって、且つ、装置本体３に近い端部に設けられる。
【００８０】
チューブ８２は、例えば、一方向に長い二枚のシート部材８７を組み合わせ、長手方向に沿う縁部を熱により溶着することで構成される。具体例として、チューブ８２は、生体側から、第１チューブ用シート部材８７ａと、第１チューブ用シート部材８７ａとの間に流路を形成する第２チューブ用シート部材８７ｂと、を有する。
【００８１】
チューブ８２は、先端に、接続部８３を有する。チューブ８２は、流体回路７のうち、装置本体３と空気袋８１との間の流路を構成する。接続部８３は、流路カバー３４の被接続部３４ａに接続される。接続部８３は、例えばニップルである。
【００８２】
背板７２は、押圧カフ７１の第１シート部材８６ａの外面８６ａ１に、接着剤層や両面テープ等により貼付される。背板７２は、樹脂材料で形成され、板状に形成される。背板７２は、例えば、ポリプロピレンからなり、厚さが１ｍｍ程度の板状に形成される。背板７２は、形状追従性を有する。
【００８３】
ここで、形状追従性とは、配置される手首１００の被接触箇所の形状を倣うように背板７２が変形可能な機能をいい、手首１００の被接触箇所とは、背板７２と接触する領域をいい、ここでの接触とは、直接的な接触及び間接的な接触の双方を含む。
【００８４】
このため、形状追従性とは、押圧カフ７１に設けられた背板７２が、又は、押圧カフ７１及びセンシングカフ７３の間に設けられた背板７２が、背板７２自身が又は背板７２に設けられたセンシングカフ７３が手首１００に倣うか、又は、手首１００に倣い密着する程度まで変形する機能である。
【００８５】
例えば、背板７２は、背板７２の両主面に、それぞれ対向する位置にであって、且つ、背板７２の長手方向に等間隔に配置された複数の溝７２ａを有する。これにより、背板７２は、複数の溝７２ａを有する部位が溝７２ａを有さない部位に比べて薄肉となることで、複数の溝７２ａを有する部位が変形しやすいことから、手首１００の形状に倣って変形する形状追従性を有する。背板７２は、手首１００の手の平側を覆う長さに形成される。背板７２は、手首１００の形状に沿った状態で、押圧カフ７１からの押圧力をセンシングカフ７３の背板７２側の主面に伝達する。
【００８６】
センシングカフ７３は、背板７２の生体側の主面に固定される。センシングカフ７３は、図１４に示すように、手首１００の動脈が存する領域に直接接触する。センシングカフ７３は、背板７２の長手方向及び幅方向で、背板７２と同一形状か、又は、背板７２よりも小さい形状に形成される。センシングカフ７３は、膨張することで手首１００の手の平側の動脈１１０が存する領域を圧迫する。センシングカフ７３は、膨張した押圧カフ７１により、背板７２を介して生体側に押圧される。
【００８７】
具体例として、センシングカフ７３は、一つの空気袋９１と、空気袋９１と連通するチューブ９２と、チューブ９２の先端に設けられた接続部９３と、を含む。センシングカフ７３は、空気袋９１の一方の主面が背板７２に固定される。例えば、センシングカフ７３は、背板７２の生体側の主面に両面テープや接着剤層等により貼付される。
【００８８】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は液体袋等であってもよい。このような複数の空気袋９１は、積層され、積層方向に流体的に連通する。
【００８９】
空気袋９１は、一方向に長い矩形状に構成される。空気袋９１は、例えば、一方向に長い二枚のシート部材を組み合わせ、縁部を熱により溶着することで構成される。具体例として、空気袋９１は、図１２及び図１３に示すように、生体側から第５シート部材９６ａ及び第６シート部材９６ｂを備える。
【００９０】
例えば、第５シート部材９６ａ及び第６シート部材９６ｂは、第５シート部材９６ａ及び第６シート部材９６ｂの一辺に、空気袋９１の内部空間と流体的に連続するチューブ９２が配置され、溶着により固定される。例えば、第５シート部材９６ａ及び第６シート部材９６ｂは、第５シート部材９６ａ及び第６シート部材９６ｂ間にチューブ９２が配置された状態で四辺の周縁部を溶着して空気袋９１を成形することで、チューブ９２が一体に溶着される。
【００９１】
チューブ９２は、空気袋９１の長手方向の一方の端部に設けられる。具体例として、チューブ９２は、空気袋９１の装置本体３に近い端部に設けられる。チューブ９２は、例えば、一方向に長い二枚のシート部材９７を組み合わせ、長手方向に沿う縁部を熱により溶着することで構成される。具体例として、チューブ９２は、生体側から、第３チューブ用シート部材９７ａと、第３チューブ用シート部材９７ａとの間に流路を形成する第４チューブ用シート部材９７ｂを有する。
【００９２】
このように形成されたチューブ９２は、チューブ８２に対して、所定の方向に離間して配置されている。この所定の方向は、チューブ８２の一部及びチューブ９２の一部が隙間Ｓ内に配置されたときに、シール部材３７の第１シール用シート部材３７ａに対する第２シール用シート部材３７ｂの積層方向に直交する方向である。
【００９３】
チューブ９２は、先端に、接続部９３を有する。チューブ９２は、流体回路７のうち、装置本体３と空気袋９１との間の流路を構成する。接続部９３は、流路カバー３４の被接続部３４ａに接続される。接続部９３は、例えばニップルである。
【００９４】
また、押圧カフ７１、チューブ８２、センシングカフ７３及びチューブ９２を形成する各シート部材８６、８７、９６、９７は、熱可塑性エラストマーにより構成される。シート部材８６、９６を構成する熱可塑性エラストマーとしては、例えば、熱可塑性ポリウレタン系樹脂（Thermoplastic PolyUrethane、以下ＴＰＵと表記する）、塩化ビニル樹脂（PolyVinyl Chloride）、エチレン酢酸ビニル樹脂（Ethylene-Vinyl Acetate）、熱可塑性ポリスチレン系樹脂（Thermoplastic PolyStyrene）、熱可塑性ポリオレフィン樹脂（Thermoplastic PolyOlefin）、熱可塑性ポリエステル系樹脂（ThermoPlastic Polyester）及び熱可塑性ポリアミド樹脂（Thermoplastic PolyAmide）を用いることができる。熱可塑性エラストマーとしては、ＴＰＵを用いることが好ましい。シート部材は、単層構造を有していても良く、また、複層構造を有していても良い。
【００９５】
なお、シート部材８６、９６は、熱可塑性エラストマーに限定されず、シリコーン等の熱硬化性エラストマーであってもよく、また、熱可塑性エラストマー（例えばＴＰＵ）と熱硬化性エラストマー（例えばシリコーン）との組み合わせであっても良い。
【００９６】
シート部材８６、８７、９６、９７は、熱可塑性エラストマーを用いる場合には、Ｔダイ押し出し成形や射出成形等の成形方式が用いられ、熱硬化性エラストマーを用いる場合には、金型注型成形等の成形方式が用いられる。シート部材は、各成形方式で成形された後、所定の形状にサイジングされ、そして、サイジングした個片を接着や溶着等により接合することで袋状構造体を構成する。接合の方式としては、熱可塑性エラストマーを用いる場合には、高周波ウェルダーやレーザー溶着が用いられ、熱硬化性エラストマーを用いる場合には、分子接着剤が用いられる。
【００９７】
流体回路７は、ケース１１、ポンプ１４、流路部１５、開閉弁１６、圧力センサ１７、押圧カフ７１、及び、センシングカフ７３によって構成される。流体回路７に用いられる二つの開閉弁１６を第１開閉弁１６Ａ及び第２開閉弁１６Ｂとし、二つの圧力センサ１７を第１圧力センサ１７Ａ及び第２圧力センサ１７Ｂとして、以下、流体回路７の具体例を説明する。
【００９８】
流体回路７は、図４に示すように、例えば、ポンプ１４から押圧カフ７１を連続する第１流路７ａと、第１流路７ａの中途部が分岐されることで構成され、ポンプ１４からセンシングカフ７３を連続する第２流路７ｂと、第１流路７ａと大気を接続する第３流路７ｃと、を備えている。また、第１流路７ａは、第１圧力センサ１７Ａを含む。第１流路７ａ及び第２流路７ｂの間には第１開閉弁１６Ａが設けられる。第２流路７ｂは、第２圧力センサ１７Ｂを含む。第１流路７ａ及び第３流路７ｃの間には、第２開閉弁１６Ｂが設けられる。
【００９９】
このような流体回路７は、第１開閉弁１６Ａ及び第２開閉弁１６Ｂが閉じることで、第１流路７ａのみがポンプ１４と接続し、ポンプ１４及び押圧カフ７１が流体的に接続される。流体回路７は、第１開閉弁１６Ａが開き、そして、第２開閉弁１６Ｂが閉じることで、第１流路７ａ及び第２流路７ｂが接続され、ポンプ１４及び押圧カフ７１、並びに、ポンプ１４及びセンシングカフ７３が流体的に接続される。流体回路７は、第１開閉弁１６Ａが閉じ、そして、第２開閉弁１６Ｂが閉じることで、第１流路７ａ及び第３流路７ｃが接続され、押圧カフ７１及び大気が流体的に接続される。流体回路７は、第１開閉弁１６Ａ及び第２開閉弁１６Ｂが開くことで、第１流路７ａ、第２流路７ｂ及び第３流路７ｃが接続され、押圧カフ７１、センシングカフ７３及び大気が流体的に接続される。
【０１００】
このように構成された血圧測定装置１は、押圧カフ７１のチューブ８２、センシングカフ７３のチューブ９２、及びカーラ５等の可動部については、電気機械器具の外郭における保護等級であるＩＰＸ５に適合する構造となっている。
【０１０１】
次に、血圧測定装置１を使用した血圧値の測定の一例について、図１６乃至図１９を用いて説明する。図１６は、血圧測定装置１を用いた血圧測定の一例を示す流れ図であり、ユーザの動作及び制御部５５の動作の双方を示す。また、図１７乃至図１９は、ユーザが手首１００に血圧測定装置１を装着する一例を示す。
【０１０２】
先ず、ユーザは、手首１００に血圧測定装置１を装着する（ステップＳＴ１）。具体例として、例えば、ユーザは、図１７に示すように、手首１００の一方をカーラ５内に挿入する。
【０１０３】
このとき、血圧測定装置１は、装置本体３及びセンシングカフ７３がカーラ５の相対する位置に配置されることから、センシングカフ７３を手首１００の手の平側の動脈１１０が存する領域に配置される。これにより、装置本体３は、手首１００の手の甲側に配される。次いで図１８に示すように、ユーザが血圧測定装置１を配した手とは反対の手によって、第１ベルト６１の尾錠６１ｃの枠状体６１ｄに第２ベルト６２を通す。次いで、ユーザは、第２ベルト６２を引っ張り、カーラ５の内周面側の部材、即ち、カフ構造体６を手首１００に密着させ、小孔６２ａにつく棒６１ｅを挿入する。これにより、図１９に示すように、第１ベルト６１及び第２ベルト６２が接続され、血圧測定装置１が手首１００に装着される。
【０１０４】
また、血圧測定装置１を手首１００に装着するときに、隙間Ｓ内でカーラ５、チューブ８２の一部、及びチューブ９２の一部が移動する。カーラ５、チューブ８２の一部、及びチューブ９２の一部の移動に伴ってシール部材３７が変形する。この為、血圧測定装置１を手首１００に装着するときであっても、隙間Ｓの密封が保たれる。
【０１０５】
次に、ユーザは、操作部１３を操作して、血圧値の測定開始に対応した指令の入力を行う。指令の入力操作が行われた操作部１３は、測定開始に対応した電気信号を制御部５５へ出力する（ステップＳＴ２）。制御部５５は、当該電気信号を受信すると、例えば、第１開閉弁１６Ａを開くとともに、第２開閉弁１６Ｂを閉じ、ポンプ１４を駆動し、第１流路７ａ及び第２流路７ｂを介して押圧カフ７１及びセンシングカフ７３へ圧縮空気を供給する（ステップＳＴ３）。これにより、押圧カフ７１及びセンシングカフ７３は膨張を開始する。押圧カフ７１及びセンシングカフ７３が膨張を開始すると、チューブ８２及びチューブ９２も膨張するが、シール部材３７がチューブ８２及びチューブ９２の膨張に伴って変形することにより、隙間Ｓの密封が維持される。
【０１０６】
第１圧力センサ１７Ａ及び第２圧力センサ１７Ｂは、押圧カフ７１及びセンシングカフ７３の圧力をそれぞれ検出し、この圧力に対応した電気信号を制御部５５へ出力する（ステップＳＴ４）。制御部５５は、受信した電気信号に基づいて、押圧カフ７１及びセンシングカフ７３の内部空間の圧力が血圧測定のための所定の圧力に達しているか否かを判断する（ステップＳＴ５）。例えば、押圧カフ７１の内圧が所定の圧力に達しておらず、且つ、センシングカフ７３の内圧が所定の圧力に達した場合には、制御部５５は、第１開閉弁１６Ａを閉じ、第１流路７ａを介して圧縮空気を供給する。
【０１０７】
押圧カフ７１の内圧及びセンシングカフ７３の内圧が、双方ともに所定の圧力に達した場合には、制御部５５は、ポンプ１４の駆動を停止する（ステップＳＴ５でＹＥＳ）。このとき、図１４に示すように、押圧カフ７１は十分に膨張しており、膨張した押圧カフ７１は、手首１００、背板７２を押圧する。
【０１０８】
さらに、センシングカフ７３は、内圧が血圧を測定するために要する圧力となるように所定の空気量が供給され、膨張しており、そして、押圧カフ７１に押圧された背板７２によって手首１００に向かって押圧される。このため、センシングカフ７３は、手首１００内の動脈１１０を押圧し、図１５に示すように動脈１１０を閉塞する。
【０１０９】
また、制御部５５は、第２開閉弁１６Ｂを制御し、第２開閉弁１６Ｂの開閉を繰り返すか、又は、第２開閉弁１６Ｂの開度を調整することで、押圧カフ７１の内部空間の圧力を加圧させる。この加圧の過程において第２圧力センサ１７Ｂが出力する電気信号に基づいて、制御部５５は、最高血圧及び最低血圧等の血圧値や心拍数等の測定結果を求める。
なお、血圧測定時における第１開閉弁１６Ａ及び第２開閉弁１６Ｂの開閉のタイミングは適宜設定でき、また、制御部５５は、押圧カフ７１の加圧過程において血圧を算出する例を説明したが、押圧カフ７１の減圧過程で血圧を算出してもよく、また、押圧カフ７１の加圧過程及び減圧過程の双方で血圧を算出してもよい。次に、制御部５５は、求めた測定結果に対応した画像信号を、表示部１２へ出力する。
【０１１０】
表示部１２は、画像信号を受信すると、当該測定結果を画面に表示する。使用者は、表示部１２を視認することで、当該測定結果を確認する。なお、使用者は、測定終了後、小孔６２ａからつく棒６１ｅを外し、枠状体６１ｄから第２ベルト６２を外し、カーラ５から手首１００を抜くことで、手首１００から血圧測定装置１を取り外す。
【０１１１】
このように構成された一実施形態に係る血圧測定装置１は、シール部材３７によって隙間Ｓが密封されるので、隙間Ｓを通してケース１１内に水やほこり等の異物が侵入することが防止される。
【０１１２】
さらに、シール部材３７の弾性率が、隙間Ｓ内に配置された押圧カフ７１のチューブ８２、及びセンシングカフ７３のチューブ９２の弾性率よりも低いので、チューブ８２の内部空間、及びチューブ９２の内部空間が遮断されることがない。さらに、血圧測定装置１を手首１００に装着するときに隙間Ｓ内でカーラ５、チューブ８２、及びチューブ９２が移動しても、この移動に伴ってシール部材３７が変形することによって隙間Ｓの密封が維持される。
【０１１３】
さらに、押圧カフ７１及びセンシングカフ７３を膨張するときにチューブ８２及びチューブ９２が膨張しても、この膨張に伴ってシール部材３７が変形することによって隙間Ｓの密封が維持される。
【０１１４】
さらに、固定部材３８によって、シール部材３７が隙間Ｓから脱落することを防止できる。さらに、固定部材３８を、複数の両面テープ３８ａ、３８ｂ、３８ｃ、３８ｄ、３８ｅ、３８ｆから構成することにより、固定部材３８を簡素にすることができる。
【０１１５】
さらに、固定部材３８を、複数の両面テープ３８ａ、３８ｂ、３８ｃ、３８ｄ、３８ｅ、３８ｆから構成することにより、血圧測定装置１のメンテナンス時に固定部材３８の交換が容易である。
【０１１６】
さらに、チューブ８２及びチューブ９２を、隙間Ｓ内で、シール用シート部材の積層方向に直交する方向に離間することにより、チューブ８２とチューブ９２との間がシール用シート部材により密封できる。
【０１１７】
上述したように、一実施形態に係る血圧測定装置１によれば、シール部材３７によって隙間Ｓを密封することにより、隙間Ｓを通して外部から水やほこりがケース１１内に侵入することを防止できる。
【０１１８】
本発明の特徴をより具体的にするために、以下、実施例及び評価試験について説明する。ただし、本発明の範囲は、以下の実施例に限定されるものではない。
【０１１９】
［実施例１］
上述の一実施形態の血圧測定装置１の基部３３を、ポリカーボネイトから形成した。血圧測定装置１のカーラ５をＴＰＵから形成した。血圧測定装置１の両面テープ３８ａ、３８ｂ、３８ｃ、３８ｄ、３８ｅ、３８ｆは、一方の主面にシリコーン系粘着剤が設けられ、他方の主面にアクリル系粘着剤が設けられている。両面テープ３８ａ、３８ｂ、３８ｃ、３８ｄ、３８ｅ、３８ｆは、シリコーン系粘着剤が設けられた主面が、シール部材３７に固定され、アクリル系粘着剤が設けられた主面が、カーラ５、チューブ８２、チューブ９２、または裏蓋３５に固定される。血圧測定装置１のシール部材３７である、第１シール用シート部材３７ａ、第２シール用シート部材３７ｂ、第３シール用シート部材３７ｃ、及び第４シール用シート部材３７ｄを、シリコーンゲルから形成した。血圧測定装置１の裏蓋３５を、ＳＵＳから形成した。血圧測定装置１のチューブ８２及びチューブ９２は、隙間Ｓに配置される一部内に、空間を保持する為のフィルムを設けた。なお、外郭ケース３１内を風防３２側から見えるようにする為に、基部３３に搭載される部品は取り外した。
【０１２０】
［評価試験］
評価試験として、実施例１の血圧測定装置１に、電気機械器具の外郭による保護等級ＩＰＸ５を有することを確認する試験を行った。評価試験は、具体例として、血圧測定装置１に対して３ｍ離れた位置から、血圧測定装置１に向かって水道水を１２．５Ｌ／ｍ放水した。さらに、放水中、血圧測定装置１を載置した台を、上下方向に平行な回転軸回りに３６０度回転させた。
【０１２１】
［評価試験の結果］
上記評価試験の結果として、風防３２を通して血圧測定装置１内を見たところ、血圧測定装置１内に水が侵入していないことを確認した。このように、隙間Ｓを通して外部からケース１１内に水が侵入していないことから、隙間Ｓがシール部材３７によって密封されていることがわかる。
【０１２２】
なお、本実施形態では、カーラ５は、その一方の端部５ａがケース１１内に収容されているが、図２０に示すように、裏蓋３５の外面に固定され、一端が裏蓋３５の一方の一対のラグ３１ａ側から突出するとともに、一端から他端に向かって裏蓋３５の他方の一対のラグ３１ａ側から突出し、他端が一端に隣接する位置まで延設される構成であってもよい。
【０１２３】
このように、カーラ５が裏蓋３５の外面に固定される構成の場合は、カーラ５が隙間Ｓに配置されることがないことから、隙間Ｓは、基部３３と、裏蓋３５の凹部３５ｃとにより構成される。そして、シール部材３７の第１シール用シート部材３７ａは、両面テープ３８ａによって、基部３３に固定される。このように、シール部材３７は、隙間Ｓ内に配置される可動部に応じて隙間Ｓを密封するように隙間Ｓに設けられる。
【０１２４】
本実施形態では、シール部材３７は、第１シール用シート部材３７ａ、第２シール用シート部材３７ｂ、及び第３シール用シート部材３７ｃを有しているが、第２シール用シート部材３７ｂ及び第３シール用シート部材３７ｃの一体物と同一の厚みを有する１枚のシール用シート部材が用いられてもよい。
【０１２５】
また、本実施形態では、ケース１１に形成された隙間Ｓに配置された、ケース１１に対する可動部は、一例として、押圧カフ７１のチューブ８２の一部、及びセンシングカフ７３のチューブ９２の一部である。例えば、隙間Ｓ内に１つのカフの１部のみ、具体例として図２１に示すようにセンシングカフ７３のチューブ９２の一部のみが配置されてもよい。
【０１２６】
または、カフ構造体６が例えば２つ以上のカフを有する場合、具体例として２つの押圧カフ７１、及び２つのセンシングカフ７３を有する場合は、図２２に示すように、隙間Ｓに、２つの押圧カフ７１のチューブ８２の一部、及び２つのセンシングカフ７３のチューブ９２の一部が配置される。これら４つのチューブの配置は、一方のチューブ８２の一部と一方のチューブ９２の一部とが、シール部材３７のシート部材の積層方向に直交する方向に離間して配置される。他方のチューブ８２の一部と他方のチューブ９２の一部とは、一方のチューブ８２及び一方のチューブ９２に対して下方で、シール部材３７のシート部材の積層方向に直交する方向に離間して配置される。
【０１２７】
この場合では、シール部材３７は、４つのシート部材、具体例として、第１シール用シート部材３７ａ、第２シール用シート部材３７ｂ、第３シール用シート部材３７ｃ、及び第４シール用シート部材３７ｄを有してもよい。第４シール用シート部材３７ｄは、第３シール用シート部材３７ｃと、裏蓋３５の凹部３５ｃの間に配置される。
【０１２８】
一方のチューブ８２の一部、及び一方のチューブ９２の一部は、第１シール用シート部材３７ａと第２シール用シート部材３７ｂとの間に配置される。他のチューブ８２の一部、及び他方のチューブ９２の一部は、第３シール用シート部材３７ｃと第４シール用シート部材３７ｄとの間に配置される。
【０１２９】
また、本実施形態では、シール部材３７は、一例として、第１シール用シート部材３７ａ、第２シール用シート部材３７ｂ、及び第３シール用シート部材３７ｃが用いられたが、シール部材３７は、隙間Ｓに配置されるチューブ８２の一部及びチューブ９２の一部のり弾性率が小さく、かつ、形状を保持可能なゲル体を、カーラ５、基部３３、裏蓋３５に一体成形することにより構成されてもよい。
【０１３０】
また、本実施形態では、固定部材３８は、一例として、両面テープ３８ａ、３８ｂ、３８ｃ、３８ｄ、３８ｅ、３８ｆから構成されたが、他の例としては、接着剤であってもよい。または、例えばシール部材３７に突部を形成し、この突部をカーラ５等に形成された凹部に嵌合することによってシール部材３７の抜け防止構造を構成してもよい。
【０１３１】
また、本実施形態では、カーラ５が基部３３の凹部３３ａに固定されることから、隙間Ｓは、カーラ５、及び裏蓋３５により構成されたが、カーラ５が基部３３に固定されない構成においては、隙間Ｓは、例えば基部３３及び裏蓋３５により構成される。この場合であっても、シール部材３７は、隙間Ｓを密封可能に構成されればよい。
【０１３２】
ただし、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【０１３３】
１…血圧測定装置、３…装置本体、４…ベルト、５…カーラ、５ａ…端部、５ｂ…孔、６…カフ構造体、７…流体回路、７ａ…第１流路、７ｂ…第２流路、７ｃ…第３流路、１１…ケース、１２…表示部、１３…操作部、１４…ポンプ、１５…流路部、１６…開閉弁、１６Ａ…第１開閉弁、１６Ｂ…第２開閉弁、１７…圧力センサ、１７Ａ…第１圧力センサ、１７Ｂ…第２圧力センサ、１８…電力供給部、１９…振動モータ、２０…制御基板、３１…外郭ケース、３１ａ…ラグ、３１ｂ…バネ棒、３２…風防、３３…基部、３３ａ…凹部、３３ｂ…底面、３３ｃ…突部、３４…流路カバー、３４ａ…被接続部、３５…裏蓋、３５ａ…裏面、３５ｂ…ビス、３５ｃ…凹部、３６…流路チューブ、３７…シール部材、３７ａ…第１シール用シート部材、３７ｂ…第２シール用シート部材、３７ｃ…第３シール用シート部材、３７ｄ…第４シール用シート部材、３８…固定部材、３８ａ…第１両面テープ、３８ｂ…第２両面テープ、３８ｃ…第３両面テープ、３８ｄ…第４両面テープ、３８ｅ…第５両面テープ、３８ｆ…第６両面テープ、４１…釦、４２…センサ、４３…タッチパネル、５１…基板、５２…加速度センサ、５３…通信部、５４…記憶部、５５…制御部、６１…第１ベルト、６１ａ…第１孔部、６１ｂ…第２孔部、６１ｃ…尾錠、６１ｄ…枠状体、６１ｅ…つく棒、６２…第２ベルト、６２ａ…小孔、７１…押圧カフ、７２…背板、７２ａ…溝、７３…センシングカフ、８１…空気袋、８２…チューブ、８３…接続部、８６…シート部材、８６ａ…第１シート部材、８６ａ１…外面、８６ｂ…第２シート部材、８６ｂ１…開口、８６ｃ…第３シート部材、８６ｃ１…開口、８６ｄ…第４シート部材、８７…シート部材、８７ａ…第１チューブ用シート部材、８７ｂ…第２チューブ用シート部材、９１…空気袋、９２…チューブ、９３…接続部、９６…シート部材、９６ａ…第５シート部材、９６ｂ…第６シート部材、９７…シート部材、９７ａ…第３チューブ用シート部材、９７ｂ…第４チューブ用シート部材、１００…手首、１１０…動脈、Ｓ…隙間。
【図１】
2019122533.tif 000003
【図２】
2019122533.tif 000004
【図３】
2019122533.tif 000005
【図４】
2019122533.tif 000006
【図５】
2019122533.tif 000007
【図６】
2019122533.tif 000008
【図７】
2019122533.tif 000009
【図８】
2019122533.tif 000010
【図９】
2019122533.tif 000011
【図１０】
2019122533.tif 000012
【図１１】
2019122533.tif 000013
【図１２】
2019122533.tif 000014
【図１３】
2019122533.tif 000015
【図１４】
2019122533.tif 000016
【図１５】
2019122533.tif 000017
【図１６】
2019122533.tif 000018
【図１７】
2019122533.tif 000019
【図１８】
2019122533.tif 000020
【図１９】
2019122533.tif 000021
【図２０】
2019122533.tif 000022
【図２１】
2019122533.tif 000023
【図２２】
2019122533.tif 000024